(57)【要約】【課題】  走行区間が長くても走行体を高速で精度良く走行させることができ、かつ構成が簡単な走行体の駆動装置を提供する。【解決手段】  走行体の駆動装置１は、位置固定で設けられ正逆両方向に回転自在な回転ドラム５と、線状部材２とを有する。例えば線状部材２は、それぞれ一端が走行体に連結されて前進側および後進側へ延び他端側部分が回転ドラム５の外周面に１層巻きで巻かれた前進用および後進用の２本のワイヤロープ２Ａ，２Ｂからなる。これらワイヤロープ２Ａ，２Ｂに対して、それぞれ回転ドラム５の外周面における巻き取り位置への案内、および巻き戻し位置からの案内を行う２個のガイド６Ａ，６Ｂを設ける。さらに、回転ドラム５を正逆両方向に回転させる回転駆動源３と、回転ドラム５の回転に同期させて２個のガイド６Ａ，６Ｂを回転ドラム５の軸心方向に進退させるガイド進退機構７とを設ける。【選択図】        図２
2014234893.tif 000002
【特許請求の範囲】
【請求項１】
位置固定で設けられ正逆両方向に回転自在な回転ドラムと、
両端が前記回転ドラムに連結され、その両端側部分がいずれも前記回転ドラムの外周面に１層巻きで巻かれており、且つ前記両端間であって走行体の走行方向に沿って延びる部分の途中で前記走行体に連結される線状部材とを有し、
前記線状部材は、前記回転ドラムが正逆何れかの方向に回転すると、両端側部分の一方は前記回転ドラムの外周面に巻き取られ、他方は前記回転ドラムの外周面から巻き戻されるものとし、
前記線状部材の両端側部分のそれぞれに対して、前記回転ドラムの外周面における巻き取り位置への案内、および巻き戻し位置からの案内を行う２個のガイドと、
前記回転ドラムを正逆両方向に回転させる回転駆動源と、
前記回転ドラムの回転に同期させて前記２個のガイドを前記回転ドラムの軸心方向に進退させるガイド進退機構と、
を備えた走行体の駆動装置。
【請求項２】
前記回転ドラムの軸心方向が、前記走行体の走行方向と平行である請求項１記載の走行体の駆動装置。
【請求項３】
前記２個のガイドは、共にプーリである請求項１または請求項２記載の走行体の駆動装置。
【請求項４】
前記プーリからなる２個のガイドは、前記回転ドラムの軸心に垂直な平面に対する投影形状が互いにＶ字形を成すように配置され、前記回転ドラムの外周面における前記巻き取り位置および巻き戻し位置が、互いに前記回転ドラムの軸心を挟む両側に位置する請求項３記載の走行体の駆動装置。
【発明の詳細な説明】
【技術分野】
【０００１】
この発明は、ローダ等の走行体を走行駆動する走行体の駆動装置に関する。
【背景技術】
【０００２】
工作機械へのワークの搬入出等に用いられるローダとして、ガントリ式のものがある。このガントリ式のローダは、工作機械の上方を水平に走行する走行体に、ワークを保持可能なローダヘッドが例えば昇降自在に設けられる。前記走行体を走行駆動する方式は種々あるが、例えば次のような方式が知られている。
（１）走行体の走行経路に沿ってラックを設けると共に、このラックに噛み合うピニオンを走行体に設け、前記ピニオンを回転させることで走行体を走行させる方式。
（２）走行体の走行経路に沿って移動自在なタイミングベルトと、このタイミングベルトの歯に噛み合うスプロケットとを設け、このスプロケットを回転させてタイミングベルトを移動させることで、このタイミングベルトに連結した走行体を走行させる方式。
【０００３】
また、（２）のタイミングベルトに代えてワイヤロープを走行体の走行経路に沿って移動自在に設け、このワイヤロープを回転ドラムに巻き取ったり巻き戻したりすることで走行体を走行させる方式も提案されている（特許文献１）。
【先行技術文献】
【特許文献】
【０００４】
【特許文献１】特許第５１０７７４８号
【発明の概要】
【発明が解決しようとする課題】
【０００５】
（１）のラック・ピニオンを用いた方式は、ピニオンを回転させる回転駆動源が走行体に搭載されることとなるため、走行体の重量が重くなり、走行体の高速走行が阻害される。
（２）のタイミングベルトを用いた方式は、スプロケットを回転させる回転駆動源を、走行体ではなく固定側に設置することができるので、（１）の方式の問題点を解消できる。しかし、タイミングベルトはゴム等の可撓性材料からなり、若干の伸縮性を有する。そのため、全長が長くなると長さの精度を保つのが難しい。また、大きな力が加わると大きく伸び縮みする。よって、走行体の走行区間が長い場合、および走行体を高速で走行させる場合には、停止位置の精度確保が難しく、不利である。
【０００６】
特許文献１のワイヤロープを用いた方式は、（２）の方式と同様に（１）の方式の問題点を解消できるうえ、ワイヤロープはタイミングベルトのような剛性の問題も少ない。しかし、特許文献１の方式は、ワイヤロープを回転ドラムに１層の螺旋巻きにするために、回転ドラムの回転と同期させて回転ドラムをその軸心方向に移動させるようにしている。この回転ドラムを移動させる構成であると、回転ドラムを回転可能な状態に維持しながら回転ドラムを軸心方向に移動させなければならず、構成が複雑になる。
【０００７】
この発明の目的は、走行区間が長くても走行体を高速で精度良く走行させることができ、かつ構成が簡単な走行体の駆動装置を提供することである。
この発明のさらに他の目的は、走行体の駆動装置を、走行体の走行方向と直交する方向に嵩張らずに設置可能とすることである。
この発明のさらに他の目的は、少ない抵抗で線状部材を案内できるガイドとすることである。
この発明のさらに他の目的は、２つのガイドをコンパクトに配置し、かつ回転ドラムの軸心方向の長さを短くすることである。
【課題を解決するための手段】
【０００８】
この発明の走行体の駆動装置は、位置固定で設けられ正逆両方向に回転自在な回転ドラムと、両端が前記回転ドラムに連結され、その両端側部分がいずれも前記回転ドラムの外周面に１層巻きで巻かれており、且つ前記両端間であって走行体の走行方向に沿って延びる部分の途中で前記走行体に連結される線状部材とを有し、前記線状部材は、前記回転ドラムが正逆何れかの方向に回転すると、両端側部分の一方は前記回転ドラムの外周面に巻き取られ、他方は前記回転ドラムの外周面から巻き戻されるものとし、前記線状部材の両端側部分のそれぞれに対して、前記回転ドラムの外周面における巻き取り位置への案内、および巻き戻し位置からの案内を行う２個のガイドと、前記回転ドラムを正逆両方向に回転させる回転駆動源と、前記回転ドラムの回転に同期させて前記２個のガイドを前記回転ドラムの軸心方向に進退させるガイド進退機構とを備える。なお、前記線状部材の前記両端側部分は、線状部材における回転ドラムに巻き取られる部分を指す。
【０００９】
この構成によると、回転駆動源で回転ドラムを正逆両方向に回転させることにより、線状部材の両端側部分のうちの一方が回転ドラムの外周面に巻き取られ、他方が回転ドラムの外周面から巻き戻される。回転ドラムの外周面に対して線状部材の両端側部分が巻き取りおよび巻き戻しされることで、線状部材における走行体の走行方向に沿って延びる部分が走行体前進側へ移動する場合は走行体が前進し、走行体後進側へ移動する場合は走行体が後進する。走行体を走行させる駆動源となる回転駆動源が、走行体ではなく固定側に設けられているため、走行体の重量を軽くすることができ、走行体の高速走行が可能となる。また、回転駆動源の回転運動を走行体の進退運動に変換して伝達する媒体としてワイヤロープを用いるため、タイミングベルトのような伸縮による弊害がほとんど生じず、走行体の走行区間が長い場合、および走行体を高速で走行させる場合でも、停止位置の精度を確保できる。
【００１０】
線状部材の両端側部分を回転ドラムに１層巻きにするためには、回転ドラムの外周面における線状部材の巻き取り位置および巻き戻し位置を、回転ドラムの回転に同期して変える必要がある。この発明の構成では、回転ドラムは位置固定とし、回転ドラムに対して２個のガイドを回転ドラムの軸心方向に進退させることで、前記巻き取り位置および巻き戻し位置を変えるようにしている。このため、特許文献１のように、回転ドラムを回転可能な状態に維持しながら回転ドラムを軸心方向に移動させる構成と比べて、軽い部品であるガイドを移動させるだけで済み、構成を簡単にできる。
【００１１】
この発明において、前記回転ドラムの軸心方向が、前記走行体の走行方向と平行であってもよい。
回転ドラム、回転駆動源、およびこれらに付随する機器、例えば減速機、回転軸のカップリング等を、回転ドラムの軸心方向に並べることで、各機器間の連結構造が簡素化されて、機能的な配置となる。そのため、回転ドラムの軸心方向を走行体の走行方向と平行にすると、上記各機器が走行体の案内するレール等と平行に並ぶこととなり、走行体の駆動装置を、走行体の走行方向と直交する方向に嵩張らずに設置することが可能となる。
【００１２】
この発明において、前記２個のガイドは、共にプーリであるのが好ましい。
ガイドがプーリであると、少ない抵抗で線状部材を案内することができる。
【００１３】
前記プーリからなる２個のガイドは、前記回転ドラムの軸心に垂直な平面に対する投影形状が互いにＶ字形を成すように配置され、前記回転ドラムの外周面における前記巻き取り位置および巻き戻し位置が、互いに前記回転ドラムの軸心を挟む両側に位置していてもよい。
この場合、線状部材における２個のガイドに対してそれぞれ走行体側の部分が、Ｖ字形に配置された２個のガイドの交差部に導入されるようにすることで、前記それぞれの走行体側の部分を互いに同軸上に位置させることができる。これにより、前記それぞれの走行体側の部分の配置が容易となる。線状部材における２個のガイドに対してそれぞれ回転ドラム側の部分は、互いに角度を持って回転ドラム側へ延びて、回転ドラムの外周面における回転ドラムの軸心を挟む両側に位置する巻き取り位置および巻き戻し位置に至る。これにより、回転ドラムの外周面に対する線状部材の両端側部分の巻き取り方向が互いに逆向きとなり、両端側部分のうちの一方が巻き取られると、他方は巻き戻されるようになる。
また、巻き取り位置および巻き戻し位置が回転ドラムの軸心を挟んで互いに両側に位置していると、巻き取り位置および巻き戻し位置を互いに回転ドラムの軸心方向に接近させても、線状部材の両端側部分が互いに干渉することを避けられる。これにより、巻き取り位置および巻き戻し位置を互いに回転ドラムの軸心方向に接近させて、回転ドラムの軸心方向の長さを短くすることができる。
【発明の効果】
【００１４】
この発明の走行体の駆動装置は、位置固定で設けられ正逆両方向に回転自在な回転ドラムと、両端が前記回転ドラムに連結され、その両端側部分がいずれも前記回転ドラムの外周面に１層巻きで巻かれており、且つ前記両端間であって走行体の走行方向に沿って延びる部分の途中で前記走行体に連結される線状部材とを有し、前記線状部材は、前記回転ドラムが正逆何れかの方向に回転すると、両端側部分の一方は前記回転ドラムの外周面に巻き取られ、他方は前記回転ドラムの外周面から巻き戻されるものとし、前記線状部材の両端側部分のそれぞれに対して、前記回転ドラムの外周面における巻き取り位置への案内、および巻き戻し位置からの案内を行う２個のガイドと、前記回転ドラムを正逆両方向に回転させる回転駆動源と、前記回転ドラムの回転に同期させて前記２個のガイドを前記回転ドラムの軸心方向に進退させるガイド進退機構とを備えるため、走行区間が長くても走行体を高速で精度良く走行させることができ、かつ構成が簡単である。
【００１５】
前記回転ドラムの軸心方向が、前記走行体の走行方向と平行である場合は、走行体の駆動装置を、走行体の走行方向と直交する方向に嵩張らずに設置可能である。
【００１６】
前記２個のガイドが共にプーリである場合は、少ない抵抗で線状部材を案内することができる。
【００１７】
前記プーリからなる２個のガイドは、前記回転ドラムの軸心に垂直な平面に対する投影形状が互いにＶ字形を成すように配置され、前記回転ドラムの外周面における前記巻き取り位置および巻き戻し位置が、互いに前記回転ドラムの軸心を挟む両側に位置する場合は、２つのガイドをコンパクトに配置し、かつ回転ドラムの軸心方向の長さを短くすることができる。
【図面の簡単な説明】
【００１８】
【図１】この発明の一実施形態にかかる走行体の駆動装置を備えたローダ装置の全体正面図である。
【図２】同走行体の駆動装置の駆動装置本体の斜視図である。
【図３】同駆動装置本体の正面図である。
【図４】図３のIV−IV断面図である。
【図５】図４のＶ−Ｖ矢視図である。
【図６】図５のVI矢視図である。
【図７】（Ａ），（Ｂ）はガイドの位置と巻き取り位置および巻き戻し位置との関係を示す説明図である。
【発明を実施するための形態】
【００１９】
この発明の一実施形態を図面と共に説明する。図１はこの実施形態の走行体の駆動装置１を備えたローダ装置の全体正面図である。このローダ装置４０は、例えば工作機械にワークを搬入出するためのものである。ローダ装置４０はガントリ式であり、門形の架台４１の水平部４１ａの上に設置された走行レール４２上を左右に走行する走行体４３と、この走行体４３に対して前後に進退自在な可動体４４と、この可動体４４に対して昇降自在なロッド状の昇降体４５と、この昇降体４５の下端に設けられたローダヘッド４６とを備える。ローダヘッド４６は、互いに横向き姿勢と下向き姿勢とに切換可能な２つのローダチャック４７を有する。
【００２０】
走行体の駆動装置１は、前記架台４１に固定状態で設置された駆動装置本体１ａと、この駆動装置本体１ａで両端側部分が巻き取りかつ巻き戻されることにより前記走行体４３を走行させる線状部材２とからなる。この例では、線状部材２は前進用および後進用の２本のワイヤロープ２Ａ，２Ｂからなる。ワイヤロープとは、鋼製の素線をより合わせ製作したロープを指すが、線状部材２はワイヤロープに限定しない。例えば、それ自体が十分な強度を有するものであれば、１本の細長い素材で構成されたものであってもよく、また素材も金属材に限らず、樹脂材等であってもよい。以下の説明では、走行体４３が図１の左向きに走行する場合を前進とし、右向きに走行する場合を後進とする。
【００２１】
図２は前記駆動装置本体１ａの斜視図、図３はその正面図である。この駆動装置本体１ａは、回転駆動源３、減速機４、回転ドラム５、２個のガイド６Ａ，６Ｂ、ガイド進退機構７等で構成される。駆動装置本体１ａは、回転ドラム５の左右両側に位置する一対の支持プレート８，９により、架台４１に支持されている。回転ドラム５の軸心Ｏ（図３）の方向は、前記走行レール４２と平行な左右方向である。
【００２２】
回転駆動源３は例えばサーボモータであり、正逆両方向に回転可能である。この回転駆動源３の回転が、減速機４により減速されて、カップリング１０を介して回転ドラム５へ伝達される。回転駆動源３、減速機４、カップリング１０、および回転ドラム５は、回転ドラム５の軸心Ｏの方向である左右方向に直列に並べて配置されている。そのため、駆動装置本体１ａを、走行体４３の走行方向と直交する方向すなわち前後方向に嵩張らずに設置することができる。走行体４３の走行方向には長くなるが、走行方向には空間の余裕が大きく、支障が生じない。
【００２３】
回転ドラム５は、前記支持プレート８，９に軸受（図示せず）等を介して回転自在に支持されていて、正逆両方向に回転自在である。回転ドラム５の外周面には、前記前進用および後進用の２本のワイヤロープ２Ａ，２Ｂをそれぞれ１層の螺旋巻きで巻き取るための螺旋状溝５ａ（図４に図示）が形成されている。各ワイヤロープ２Ａ，２Ｂは、それぞれ一端が走行体４３に連結され他端側部分が回転ドラム５の前記螺旋状溝５ａに巻かれる。ワイヤロープ２Ａ，２Ｂの巻き取り方向は互いに逆で、一方のワイヤロープ２Ａ（２Ｂ）を巻き取ると、もう一方のワイヤロープ２Ｂ（２Ａ）が巻き戻されるようになっている。前進用のワイヤロープ２Ａの他端側端はワイヤ止め具１２により螺旋状溝５ａの左端に固定され、後進用のワイヤロープ２Ｂの他端側端はワイヤ止め具１３（図３）により螺旋状溝５ａの右端に固定されている。
【００２４】
図１に示すように、前進用のワイヤロープ２Ａは、一端が走行体４３の前進側端に連結され、この前進側端から走行レール４２に沿って左方へ延ばされ、走行レール４２の左端付近でガイドプーリ１４により折り返され、前記ガイド６Ａにより回転ドラム５側へ案内される。また、後進用のワイヤロープ２Ｂは、一端が走行体４３の後進側端に連結され、この後進側端から走行レール４２に沿って右方へ延ばされ、走行レール４２の右端付近でガイドプーリ１５により折り返され、前記ガイド６Ｂにより回転ドラム５側へ案内される。この例では、線状部材が前進用および後進用のワイヤロープ２Ａ，２Ｂを走行体４３を介して連結したものとされているが、連続した１本のワイヤロープ（図示せず）からなる線状部材の中途部に走行体４３を固定してもよい。
【００２５】
図４は図３のIV−IV断面図、図５は図４のＶ−Ｖ矢視図、図６は図５のVI矢視図である。これらの各図に示すように、前記ガイド６Ａ，６Ｂはプーリであって、後述するガイド進退機構７により左右方向に進退させられるガイド支持部材１６に、それぞれ回転中心軸ＣＡ，ＣＢ（図４）回りに回転自在に支持されている。これらガイド６Ａ，６Ｂは、回転ドラム５の上方で、かつ回転ドラム５の軸心Ｏよりも少しだけ後方すなわち架台４１寄りに位置している。ガイド６Ａ，６Ｂとしては、少ない抵抗でワイヤロープ２Ａ，２Ｂを案内することができるプーリが好ましいが、プーリ以外、例えば表面が平滑なピンであってもよい。
【００２６】
図５、図６に示すように、各ガイド６Ａ，６Ｂは左右に並べて配置されているが、前進用のワイヤロープ２Ａを案内するガイド６Ａの右端部(図５、図６では左端部)、および後進用のワイヤロープ２Ｂを案内するガイド６Ｂの左端部(図５、図６では右端部)は、互いに前後方向および上下方向に重なっている。このため、前進用のワイヤロープ２Ａおよび後進用のワイヤロープ２Ｂが、各ガイド６Ａ，６Ｂにより、ほぼ左右同位置で回転ドラム５に対して案内される。すなわち、回転ドラム５の外周面における両ワイヤロープ２Ａ，２Ｂの巻き取り位置Ｐ１および巻き戻し位置Ｐ２が相対的にほぼ左右同位置である。なお、巻き取り位置Ｐ１および巻き戻し位置Ｐ２は、各ガイド６Ａ，６Ｂが左右に移動することで移動する。
【００２７】
また、各ガイド６Ａ，６Ｂは、回転ドラム５の軸心Ｏに垂直な面に対して投影した場合、図４に示すように、上端が互いに重なり下端が開いたＶ字形を成すように配置されている。これにより、ガイド６Ａが、前進用のワイヤロープ２Ａを回転ドラム５の外周面における前部（架台４１から遠い側）に対して接線方向に案内し、ガイド６Ｂが、後進用のワイヤロープ２Ｂを回転ドラム５の外周面における後部（架台４１に近い側）に対して接線方向に案内する。このように２つのガイド６Ａ，６ＢをＶ字形に配置することにより、前記のように各ガイド６Ａ，６Ｂを互いに前後方向および上下方向に重ならせて配置することが可能となっている。
【００２８】
図２、図３、図６において、前記ガイド進退機構７は、ボールねじ機構２１と同期伝動機構２５とを有する。ボールねじ機構２１は、右側の支持プレート９に軸受（図示せず）等を介して回転自在に支持されて左方向に延びるねじ軸２２に、ナット２３に内蔵のボール（図示せず）を介してナット２３を螺合させたものであり、ナット２３に前記ガイド支持部材１６が固定されている。ガイド支持部材１６は、左右の支持プレート８，９に渡って設けられた案内レール１７に沿って、左右方向に進退自在である。
【００２９】
同期伝動機構２５は、回転ドラム５の回転と各ガイド６Ａ，６Ｂの左右方向の進退とを同期させる機構であり、回転ドラム５の回転軸５ｂ（図４）と一体に回転する駆動軸２６（図２）に取り付けた駆動側プーリ２７と、前記ねじ軸２２と同軸上の従動軸２８に取り付けた従動側プーリ２９とに伝動ベルト３０を掛け、この伝動ベルト３０にテンションプーリ３１でテンションを付加してある。テンションプーリ３１は、支持プレート９に設けられた溝３２（図２）に沿って位置変更可能であり、位置変更することで伝動ベルト３０に付加するテンションを調節することができる。
【００３０】
この走行体の駆動機構１の構成によると、回転駆動源３で回転ドラム５を正逆両方向に回転させることにより、２本のワイヤロープ２Ａ，２Ｂのうちの１本が回転ドラム５の外周面に巻き取られ、もう１本が外周面から巻き戻される。例えば、回転ドラム５が正転方向（図２、図４の矢印方向）に回転すると、前進用のワイヤロープ２Ａが回転ドラム５に巻き取られることで、前進用のワイヤロープ２Ａの一端が走行レール４２に沿って図１の左方向に引っ張られて、走行体４３が前進する。このとき、後進用のワイヤロープ２Ｂは回転ドラム５から巻き戻され、走行体４３の走行と共に後進用のワイヤロープ２Ｂの一端が左方向に移動する。回転ドラム５が逆転方向に回転すると、ワイヤロープ２Ａ，２Ｂが上記と逆に動作し、走行体４３が後進する。
【００３１】
上記ワイヤロープ２Ａ，２Ｂの巻き取りおよび巻き戻し動作時、ガイド進退機構７により、回転ドラム５の回転に同期して２個のガイド６Ａ，６Ｂが左右に移動する。それにより、図７に示すように、回転ドラム５の外周面におけるワイヤロープ２Ａ，２Ｂの巻き取り位置Ｐ１および巻き戻し位置Ｐ２が左右に移動する。同図において、前進用のワイヤロープ２Ａの他端側部分が巻かれている範囲をＡで示し、後進用のワイヤロープ２Ｂの他端側部分が巻かれている範囲をＢで示している。つまり、常に回転ドラム５の外周面の全域に、ワイヤロープ２Ａ，２Ｂの両方またはいずれかが巻かれた状態となっている。
【００３２】
このように、回転ドラム５は位置固定とし、回転ドラム５に対して２個のガイド６Ａ，６Ｂを回転ドラム５の軸心Ｏの方向に進退させることで巻き取り位置Ｐ１および巻き戻し位置Ｐ２に移動させるようにすると、回転ドラム５自体を軸心Ｏの方向に移動させることで巻き取り位置Ｐ１および巻き戻し位置Ｐ２を移動させる構成と比べて、軽い部品であるガイド６Ａ，６Ｂを移動させるだけで済み、構成を簡単にできる。また、ワイヤロープ２Ａ，２Ｂを巻き取った重量の大きな回転ドラム５を移動させないので、動力が小さくて済む。
【００３３】
走行体４３を走行させる駆動源となる回転駆動源３が、走行体４３ではなく固定側である架台４１に設けられているため、走行体４３の重量を軽くすることができ、走行体４３の高速走行が可能となる。また、回転駆動源３の回転運動を走行体４３の進退運動に変換して伝達する媒体としてワイヤロープ２Ａ，２Ｂを用いたため、タイミングベルトのような伸縮による弊害がほとんど生じない。そのため、走行体４３の走行区間が長い場合、および走行体４３を高速で走行させる場合でも、停止位置の精度を確保できる。
【００３４】
前進用および後進用のワイヤロープ２Ａ，２Ｂをそれぞれ案内する２個のガイド６Ａ，６Ｂは、回転ドラム５の軸心Ｏに垂直な面に対する投影形状が互いにＶ字形を成すように配置されている。これにより、各ワイヤロープ２Ａ，２Ｂにおけるガイド６Ａ，６Ｂに対して走行体側の部分２Ａａ，２Ｂａ（図７）を、Ｖ字形に配置された２個のガイド６Ａ，６Ｂの交差部５０（図４、図７）に導入して、各ワイヤロープ２Ａ，２Ｂにおける走行体側の部分２Ａｂ，２Ｂｂ（図７）を互いに同軸上に位置させることができる。これにより、前進用および後進用のワイヤロープ２Ａ，２Ｂにおける走行体側の部分を架台４１への配置が容易となる。この実施形態のように、２個のガイド６Ａ，６Ｂの交差部が回転ドラム５の軸心Ｏよりも架台４１寄りに位置させてあると、ワイヤロープ２Ａ，２Ｂを架台４１の水平部４１ａの近くに沿わせて配置することができる。
【００３５】
また、回転ドラム５の外周面におけるワイヤロープ２Ａ，２Ｂの巻き取り位置Ｐ１および巻き戻し位置Ｐ２が回転ドラム５の軸心Ｏを挟んで互いに両側に位置しているため、巻き取り位置Ｐ１および巻き戻し位置Ｐ２を回転ドラム５の軸心Ｏの方向に接近させても、２本のワイヤロープ２Ａ，２Ｂが互いに干渉することを避けられる。これにより、この実施形態のように巻き取り位置Ｐ１と巻き戻し位置Ｐ２を左右ほぼ同じ位置にして、回転ドラム５の軸心Ｏの方向の長さを短くすることができる。
【００３６】
この実施形態では、巻き取り位置Ｐ１と巻き戻し位置Ｐ２を左右ほぼ同じ位置になるよう２個のガイド６Ａ，６Ｂを配置しているが、巻き取り位置Ｐ１と巻き戻し位置Ｐ２が左右に離れて位置するように２個のガイド６Ａ，６Ｂを配置してもよい。その場合、回転ドラム５の外周面に巻かれた前進用のワイヤロープ２Ａの他端部分（図７のＡに相当する部分）と、回転ドラム５の外周面に巻かれた後進用のワイヤロープ２Ｂの他端部分（図７のＢに相当する部分）との間に、いずれのワイヤロープ２Ａ，２Ｂも巻かれていない隙間部分ができる。そのため、前記隙間部分だけ回転ドラム５の軸心Ｏの方向の長さが長くなる。
【符号の説明】
【００３７】
１…走行体の駆動装置
２…線状部材
２Ａ…前進用のワイヤロープ
２Ｂ…後進用のワイヤロープ
３…回転駆動源
５…回転ドラム
６Ａ，６Ｂ…ガイド
７…ガイド進退機構
４３…走行体
Ｏ…回転ドラムの軸心
Ｐ１…巻き取り位置
Ｐ２…巻き戻し位置
【図１】
2014234893.tif 000003
【図２】
2014234893.tif 000004
【図３】
2014234893.tif 000005
【図４】
2014234893.tif 000006
【図５】
2014234893.tif 000007
【図６】
2014234893.tif 000008
【図７】
2014234893.tif 000009